(57)【特許請求の範囲】
【請求項１】
建物間空間部を挟んで建物ユニットが並設され、
前記建物ユニットおよび前記建物間空間部は、前記建物ユニットおよび前記建物間空間部に亘って連続する屋根に覆われ、
前記屋根には、山部と谷部とから成る折板が、所定のピッチで設置された取付具に前記山部を嵌合して並設された建物の屋根構造であって、
前記屋根において前記建物間空間部を覆う部分は、一方の前記建物ユニットから連続して並設された前記折板の端部に位置する端部折板と、もう一方の前記建物ユニットから連続して並設された前記折板の端部に位置する端部折板とがカバー部材に接続されて形成され、
前記建物間空間部の上部に、両建物ユニットに跨って構造部材が設けられ、
前記構造部材上には、前記一方の前記建物ユニット上の前記取付具のピッチと連続的に同ピッチで設けられた前記取付具と、前記もう一方の前記建物ユニットの前記取付具のピッチと連続的に同ピッチで設けられた前記取付具との間に、両取付具同士が前記ピッチと異なる間隔を空けて配置されたピッチ調整用間隔部が設けられていることを特徴とする建物の屋根構造。
【請求項２】
請求項１に記載の建物の屋根構造において、
前記構造部材は、前記建物ユニットの構造梁に架け渡された梁部材であることを特徴とする建物の屋根構造。
【請求項３】
請求項１または請求項２に記載の建物の屋根構造において、
前記構造部材は、前記建物ユニットの柱の上部に架け渡された梁部材であることを特徴とする建物の屋根構造。
【請求項４】
請求項１〜請求項３のいずれか１項に記載の建物の屋根構造において、
前記ピッチ調整用間隔部を挟むその両側に、それぞれ、折板固定部材が設置され、
前記折板固定部材は、前記ピッチ調整用間隔部と各建物ユニットの間に配置された複数の前記取付具を、１枚の基板上に所定のピッチで設置して形成されていることを特徴とする建物の屋根構造。
【請求項５】
請求項１〜請求項４のいずれか１項に記載の建物の屋根構造において、
前記ピッチ調整用間隔部には、前記構造部材に固定されたベース部と、このベース部から立ち上げられて、前記端部折板の端縁部および前記カバー部材の幅方向両端部を支持する一対の支持部材と、を備える固定部材が設けられていることを特徴とする建物の屋根構造。
【請求項６】
請求項１〜請求項５のいずれか１項に記載の建物の屋根構造において、
前記カバー部材は、幅方向の端縁部に、前記端部折板の端縁部を上方から覆って、前記端部折板に接続された水平耳部を備えることをことを特徴とする建物の屋根構造。
【請求項７】
請求項１〜請求項６のいずれか１項に記載の建物の屋根構造において、
前記カバー部材は、幅方向の端縁部から下方に折曲されて前記端部折板の端縁部を水平方向側方から覆う立下げ部を備えることを特徴とする建物の屋根構造。
【請求項８】
請求項７に記載の建物の屋根構造において、
前記カバー部材は、幅方向の直交方向の軒先部から下方に折曲されて前記端部折板の軒先部を水平方向側方から覆う第２の立下げ部を備えることを特徴とする建物の屋根構造。
【請求項９】
請求項１〜請求項８のいずれか１項に記載の建物の屋根構造を備えることを特徴とする建物。
【発明の詳細な説明】
【技術分野】
【０００１】
本発明は、折板を用いた建物の屋根構造およびその建物の屋根構造を備えた建物に関するものである。
【背景技術】
【０００２】
従来、建物の屋根において、谷部と山部とを一定ピッチで交互に配置した折板を並設した屋根構造が知られている（例えば、特許文献１〜５参照）。
さらに、これらの屋根構造のうち、特許文献１〜３には、隣り合う折板同士を接続した構造が開示されている。
特許文献１には、構造梁の上に折板が並設して載置固定され、隣り合う折板の間が、カバー材で被覆された構造が開示されている。
また、特許文献２には、断面山型状のタイトフレームが一定ピッチで並設され、一対のタイトフレームの間に、谷型断面形状の屋根材が設けられ、隣り合う屋根材に形成された下ハゼ部と上ハゼ部とを重ねてハゼ締めしたハゼ継部を形成した構造が記載されている。
また、特許文献３には、折板と折板との端部を、両折板の山型部分のピッチと同一ピッチに配置されて山型部分と同一外形形状を成すガスケットの溝部分に差し込んで、折板同士を接続するとともに、シール性を確保した構造が記載されている。
なお、特許文献４には、折板屋根の棟部を棟包み板で覆った構造が記載されている。
特許文献５には、折板屋根の上に床材を敷設した構造が開示されている。
特許文献６には、折板を二重に重ねた構造が開示されている。
【先行技術文献】
【特許文献】
【０００３】
【特許文献１】特開２００１−２９５４２３号公報
【特許文献２】特開２０００−３３６８５８号公報
【特許文献３】特開平１０−３１７５９６号公報
【特許文献４】特開平１０−８６４８号公報
【特許文献５】特開平２−１６２４７号公報
【特許文献６】特開２０１２−２１９５１８号公報
【発明の概要】
【発明が解決しようとする課題】
【０００４】
しかしながら、特許文献１〜６に記載の技術では、折板の山部と谷部とのピッチを予め設定された所定ピッチとすることが図られているものの、逆に、折板を敷設する箇所の寸法が、所定ピッチからずれた場合の考慮が成されていなかったため、下記の問題を有していた。
【０００５】
通常、建物ユニットは、所定の規格寸法（モジュール）に基づいて各部の寸法が設定され、折板屋根の山部のピッチも、規格寸法に基づいて設定されている。一方、建物ユニットの外部まで屋根を延在して形成する場合、建物の外部は、規格寸法の制約を受けないため、建物ユニットの規格寸法と一致しない場合がある。この場合、建物ユニットの規格に基づく寸法の折板を屋根全体に設置するのが難しい。
【０００６】
このような建物ユニットの外部に延在する屋根の一例として、建物ユニットの間に形成された建物間空間部を、両建物ユニットから一体的に連続して延在した屋根で覆う場合がある。
すなわち、上述のような建物間空間部に屋根を設ける場合、その構造部材として、所定の規格に応じた寸法の部材を用いると、建物間空間部およびその屋根の寸法には、この構造部材の寸法に、接合に用いる部材の寸法が加わり、所定の規格の寸法からずれる、いわゆるモジュールずれが生じる。あるいは、建物の周りの環境の影響から、建物ユニットの間の空間部の寸法の確保に制約を受け、規格寸法に応じた寸法を確保できない場合に、モジュールずれが生じる場合もある。
建物間空間部およびその屋根の寸法に、このようなモジュールずれが生じた場合、建物ユニットの規格に応じた寸法の折板を、建物間空間部の屋根全体に設置するのが難しい。そこで、建物間空間部の寸法に応じた折板を新規に形成して屋根を形成した場合、折板に加えその山部に嵌合する取付具も新規に形成する必要があり、製造の手間およびコストが嵩む。
【０００７】
本発明は、上述の従来の問題に着目して成されたもので、建物間空間部においてモジュールずれが生じていても、建物間空間部に建物ユニットから連続して建物ユニットと共通の折板を設置可能として、製造手間およびコストを抑えることが可能な建物の屋根構造および建物を提供することを目的としている。
【課題を解決するための手段】
【０００８】
前記目的を達成するために、本発明の建物の屋根構造は、
建物間空間部を挟んで建物ユニットが並設され、
前記建物ユニットおよび前記建物間空間部は、一体的に連続する屋根に覆われ、
前記屋根には、山部と谷部とから成る折板が、所定のピッチで設置された取付具に前記山部を嵌合して並設された建物の屋根構造であって、
一方の前記建物ユニットから並設された前記折板の端部に位置する端部折板と、もう一方の前記建物ユニットから並設された前記折板の端部に位置する端部折板とがカバー部材に接続されて前記屋根が形成されていることを特徴とする建物の屋根構造とした。
【０００９】
なお、前記建物間空間部の上部に、両建物ユニットに跨って構造部材が設けられ、前記構造部材上には、前記一方の前記建物ユニット上の前記取付具のピッチと連続的に同ピッチで設けられた前記取付具と、もう一方の前記建物ユニットの前記取付具のピッチと連続的に同ピッチで設けられた前記取付具との間に、両取付具同士が前記ピッチと異なる間隔を空けて配置されたピッチ調整用間隔部を設けるのが好ましい。
さらに、前記ピッチ調整用間隔部を挟むその両側に、それぞれ、折板固定部材が設置され、前記折板固定部材は、前記ピッチ調整用間隔部と各建物ユニットの間に配置された複数の前記取付具を、１枚の基板上に前記所定のピッチで設置して形成されていることが好ましい。
【００１０】
また、前記ピッチ調整用間隔部には、前記構造部材に固定されたベース部と、このベース部から立ち上げられて、前記端部折板の端縁部および前記カバー部材の幅方向両端部を支持する一対の支持部材と、を備える固定部材が設けられていることが好ましい。
【００１１】
加えて、前記カバー部材は、幅方向端縁部に、前記端部折板の端縁部を上方から覆って、前記端部折板に接続された水平耳部を備えることが好ましい。
さらに、前記カバー部材は、幅方向端縁部から下方に折曲されて前記端部折板の端縁部を水平方向側方から覆う立下げ部を備えることが好ましい。
そして、前記カバー部材は、幅方向の直交方向の軒先部から下方に折曲されて前記端部折板の軒先部を水平方向側方から覆う第２の立下げ部を備えることが好ましい。
【００１２】
しかも、前記構造部材は、前記建物ユニットの構造梁に架け渡された梁部材であることが好ましい。
また、本発明の建物は、上記の建物の屋根構造を備えることを特徴とする建物とした。
【発明の効果】
【００１３】
本発明では、建物間空間部では、一方の建物ユニットから連続して並設された折板の端部に位置する端部折板と、もう一方の建物ユニットから連続して並設された折板の端部に位置する端部折板とをカバー部材により接続して屋根を形成した。
したがって、建物間空間部の寸法が、所定の規格寸法から外れたモジュールずれが生じた場合でも、一方の建物ユニットから所定の規格寸法に応じたピッチで折板を設置するとともに、もう一方の建物ユニットから所定の規格寸法に応じたピッチで折板を設置し、端部折板の間のカバー部材によりモジュールずれを吸収することができる。
よって、建物間空間部の屋根に、建物ユニットに用いる折板を設置可能であり、建物間空間部に設置する屋根の折板を、所定の規格寸法とは異なる寸法としてモジュールずれを吸収した場合と比較して、製造手間およびコストを抑えることができる。
【００１４】
さらに、一方の建物ユニットから連続する取付具と、もう一方の建物ユニットから連続する取付具との間に、両取付具同士が所定のピッチと異なる間隔を空けて配置されたピッチ調整用間隔部が設けられた建物の屋根構造では、ピッチ調整用間隔部にカバー部材および端部折板を設置することができる。
また、ピッチ調整用間隔部を挟むその両側に折板固定部材を設置した建物の屋根構造では、建物ユニットの取付具と折板固定部材の取付具との間のピッチが所定のピッチとなるように折板固定部材を設置するだけで、建物間空間部の構造部材上に設置する全ての取付具を、建物ユニットに設置した取付具と連続的に一定のピッチで配置することができる。 したがって、作業性に優れる。
加えて、ピッチ調整用間隔部に、固定部材に固定されたベース部と、このベース部から立ち上げられて端縁部折板およびカバー部材を支持する支持部材とを備える固定部材が設けられた建物の屋根構造では、１つの固定部材により、両端部折板とカバー部材を、構造部材に支持することができる。
したがって、各端縁部折板とカバー部材とを、それぞれ、独立した支持部材により支持するものと比較して、部品点数を削減し、コスト低減を図ることが可能である。
【００１５】
さらに、カバー部材は、幅方向端縁部に、折板の端縁部を上方から覆って、端縁折板の端部に接続された水平耳部を備える建物の屋根構造では、端縁折板との接続を水平耳部により行うため、接続面積を確保することができるとともに、接続作業を上方から重ね合わせる作業とすることができ、作業性に優れ、かつ、接続強度を確保できる。
また、カバー部材が、幅方向端縁部から下方に折曲されて端部折板の端縁部を水平方向側方から覆う立下げ部を備える建物の屋根構造では、立下げ部によりカバー部材と端部折板との接続部への風雨の浸入を抑制することができる。
加えて、カバー部材が、幅方向の直交方向の軒先部から下方に折曲されて折板の軒先部を水平方向側方から覆う第２の立下げ部を備える建物の屋根構造では、第２の立下げ部により端部折板の軒先部からの風雨の浸入を抑制することができる。
【００１６】
また、構造部材が、建物ユニットの構造梁に架け渡された梁部材である建物の屋根構造では、梁部材を建物ユニットの間に架け渡すことにより、取付具などを設置することができ、位置合わせ作業を簡略化でき、取付作業性に優れる。
そして、上記いずれかの建物の屋根構造を備えることを特徴とする建物では、上記効果を有する建物を提供することができる。
【図面の簡単な説明】
【００１７】
【図１】本発明の実施の形態１の建物の屋根構造を備えた建物の概略を示す概略平面図である。
【図２】実施の形態１の建物の屋根構造を示す断面図であって、図１のＳ２−Ｓ２線の位置での断面を示す。
【図３】実施の形態１の建物の屋根構造の要部を拡大して示す拡大断面図であって、図２の一点鎖線Ｋ３により囲んだ部位を示す。
【図４】実施の形態１の建物の屋根構造の妻水切およびカバー部材の長手方向端部を示す斜視図である。
【図５】実施の形態１の建物の屋根構造のピッチ調整用間隔部の組付作業過程を示す斜視図である。
【図６】実施の形態１の建物の屋根構造のピッチ調整用間隔部の固定部材を示す斜視図である。
【図７】実施の形態１の建物の屋根構造のピッチ調整用間隔部の組付作業過程を示す斜視図である。
【図８】実施の形態１の建物の屋根構造の軒先部を示す断面図であって、図１のＳ８−Ｓ８線の位置での断面を示す。
【図９】実施の形態１の建物の屋根構造のピッチ調整用間隔部の組付作業過程を示す斜視図であって、構造梁に軒天見切および取付ブラケットを取り付ける過程を示す。
【図１０】実施の形態１の建物の屋根構造のピッチ調整用間隔部の組付作業過程を示す斜視図であって、屋根パネルの据え付け工程を示す。
【図１１】実施の形態１の建物の屋根構造のピッチ調整用間隔部の組付作業過程を示す斜視図であって、軒先部分への空間部梁部材を取り付ける過程を示す。
【図１２】実施の形態１の建物の屋根構造のピッチ調整用間隔部の組付作業過程を示す斜視図であって、エントランススペース（建物間空間部）の中間部への空間部梁部材を取り付ける過程を示す。
【図１３】実施の形態１の建物の屋根構造のピッチ調整用間隔部の組付作業過程を示す斜視図であって、空間部梁部材を取り付けた後の状態を示す。
【発明を実施するための形態】
【００１８】
以下、本発明の実施の形態について図面を参照して説明する。
（実施の形態１）
まず、実施の形態１の建物の屋根構造Ａの構成を説明する。
図１は、実施の形態１の建物の屋根構造Ａを設けた建物ＴＨの概略を示す概略平面図である。
この図１に示す建物ＴＨは、例えば、集合住宅であり、第１の棟１と、第２の棟２と、両棟１，２を図において矢印ｘ方向である第１の方向に離して設置することにより、両棟１，２の間に設けられたエントランススペース（建物間空間部）３と、を備える。
【００１９】
第１の棟１は、図示のように、複数（図では「４」）の建物ユニット１０を図において矢印ｘ方向に直交する矢印ｙ方向である第２の方向に連続して結合して形成されている。なお、矢印ＵＰは、建物ＴＨの上方を示す。
第２の棟２は、第１の棟１と同様に、複数（図では「５」）の建物ユニット１０を第２の方向（矢印ｙ方向）に連続して結合して形成されている。
【００２０】
すなわち、第１の棟１および第２の棟２は、複数の建物ユニット１０により構成された複数の住宅を備えるとともに、各住宅の図示を省略した出入口がエントランススペース３に面して設けられている。
なお、建物ユニット１０は、金属製の複数の柱１１（図９参照）の上下両端部を、それぞれ、構造梁１２（図２、図９参照）により結合して、四角の枠状に形成した周知構造のものである。
【００２１】
図２は、実施の形態１の建物の屋根構造Ａを示す断面図であり、図１のＳ２−Ｓ２線の位置の断面を示す。
エントランススペース３は、両棟１，２を構成する建物ユニット１０の屋根であるユニット屋根ＲＦＵから連続して一体的に形成されたエントランス屋根ＲＦＳにより覆われている。また、このエントランス屋根ＲＦＳは、ユニット屋根ＲＦＵに連続して一体的に形成されて建物ＴＨの全体を覆う建物屋根ＲＦが形成されている。
なお、建物ＴＨは、１階建てであってもよいし、２階以上の複数階建であってもよく、建物屋根ＲＦは、当然のことならが、建物ＴＨの最上階の建物ユニット１０の上に設置される。また、エントランススペース３は、第２の方向（矢印ｙ方向）側は、開放された空間としてもよいし、壁などにより閉鎖しドアなどにより開閉可能とした閉空間としてもよい。
【００２２】
次に、建物屋根ＲＦの構造について説明する。
建物屋根ＲＦの外表面（上面）は、後述するカバー部材２０を除き、折板３０を第１の方向（矢印ｘの正逆方向）に連続して並設して形成されている。なお、折板３０は、周知のように、薄板材を折曲して山部３１と谷部３２とを備えたものである。この折板３０の素材は特に限定されるものではなく、カラー亜鉛鉄板、塩ビ樹脂被覆鋼板、ポリオレフイン樹脂被覆鋼板、ステンレス鋼板など周知の不燃もしくは不燃に準ずる性能を有している剛性の高い鋼板を用いることができ、例えば、厚さ０．４〜１．５ｍｍのものを用いる。
【００２３】
また、建物屋根ＲＦは、折板３０の山部３１と谷部３２と交互に連続しているが、その山部３１同士の間隔（ピッチＰｃ）は、予め設定された規格に基づく寸法（モジュール）に沿った寸法に設定されている。
【００２４】
すなわち、建物ユニット１０は、所定の規格寸法Ｐｍに基づいて、各部分の寸法が設定されており、建物屋根ＲＦでは、山部３１の間隔（ピッチＰｃ）は、規格寸法Ｐｍの１／２の寸法に設定されている。なお、１枚の折板３０の山部３１および谷部３２の数は、限定されるものではないが、本実施の形態１では、詳細な説明および図示は省略するが、前記折板３０として、山部３１の数を「３」、谷部３２の数を「２」としたものと、山部３１の数を「２」、谷部３２の数を「１」としたものとの２種類のものを並設している。
【００２５】
次に、折板３０の取付構造について説明する。
上述のように山部３１および谷部３２を一定のピッチＰｃに配置するのにあたり、ユニット屋根ＲＦＵおよびエントランス屋根ＲＦＳには、山部３１と嵌り合う形状に形成された取付具４１が一定のピッチＰｃで設けられている。なお、山部３１は、取付具４１と嵌り合って水平方向への移動および上方への抜け止めが成された状態で、螺子により取付具４１に固定されている。
この取付具４１は、建物ユニット１０およびエントランススペース３において、それぞれ、構造部材としての後述する構造梁１２および空間部梁部材５０に起立状態で一定間隔で設けられている。この取付具４１の設置にあたり、本実施の形態１では、複数の取付具４１を備える折板固定部材４０が用いられている。
【００２６】
この折板固定部材４０は、図１１、図１２にも示すように、金属などにより形成され、横長板状の基板４２と、この基板４２上に一定のピッチＰｃで取り付けられた複数（本実施の形態では「５」）の取付具４１と、を備える。
そして、折板固定部材４０は、建物ユニット１０では、構造梁１２の上面に基板４２が固定されている。また、エントランス屋根ＲＦＳでは、エントランススペース３を挟んで配置された建物ユニット１０，１０の構造梁１２，１２に架け渡された空間部梁部材５０の上面に基板４２が固定されている。
【００２７】
なお、空間部梁部材５０は、エントランススペース３において、長手方向（矢印ｙ方向）の両端部（図１１参照）と、長手方向の中間部分の複数箇所（図１２、図１３参照）とに設けられている。
図１１に示す、軒先側端部の空間部梁部材５０は、その長手方向両端部が、取付ブラケット５１、５２を介して、建物ユニット１０の柱１１の上端部に固定されて、建物ユニット１０，１０に架け渡されている。
【００２８】
また、図１２に示す、中間部分の空間部梁部材５０は、その長手方向両端部が、取付ブラケット５３，５４を介して、建物ユニット１０の柱１１の上端部に固定され、建物ユニット１０，１０に架け渡されている。
【００２９】
次に、図２に戻り、取付具４１の間隔（ピッチ）について説明する。
本実施の形態１では、折板固定部材４０の設置にあたり、建物ユニット１０の構造梁１２に設置された取付具４１と、これに隣り合ってエントランス屋根ＲＦＳの空間部梁部材５０に設置された取付具４１とは、連続して一定のピッチＰｃで配置されている。すなわち、エントランス屋根ＲＦＳに設置された折板固定部材４０は、その建物ユニット１０側の端部に立設された取付具４１と、隣り合う建物ユニット１０に設置された折板固定部材４０の取付具４１との間隔がピッチＰｃとなるように設置されている。
【００３０】
なお、エントランス屋根ＲＦＳにおいて、折板３０を支持する空間部梁部材５０の下方には、屋根パネル１００が設けられている。この屋根パネル１００は、図９に示すように、建物ユニット１０の構造梁１２にボルト１１１により締結された取付ブラケット１１０に、屋根パネル１００に設けられたパネルブラケット１２０（図１０参照）をボルト１２１（図２参照）により締結することで、建物ユニット１０，１０の間に架け渡されている。
【００３１】
ここで、屋根パネル１００は、その寸法が、規定寸法Ｐｍに基づいて形成されており、この屋根パネル１００を、建物ユニット１０，１０に取り付けるのにあたって取付ブラケット１１０を介在させるため、エントランススペース３の幅寸法（矢印ｘ方向の寸法）が規定寸法Ｐｍからずれるモジュールずれが生じる。あるいは、建物ＴＨの建築上、エントランススペース３の寸法が規定寸法からずれる場合、取付ブラケット１１０により、そのずれ分を調整する。
【００３２】
そこで、エントランス屋根ＲＦＳでは、一対の折板固定部材４０の間に、ピッチ調整用間隔部６０（図２、図５参照）が形成されている。このピッチ調整用間隔部６０では、両折板固定部材４０においてエントランス屋根ＲＦＳの中央側に位置する取付具４１同士が、ピッチＰｃと異なりピッチＰｃよりも大きな間隔Ｐａｄを空けて配置されている。
【００３３】
次に、ピッチ調整用間隔部６０における屋根構造について説明する。
ピッチ調整用間隔部６０には、カバー部材２０、妻水切（端部折板）３３，３４、固定部材８０が設けられている。
【００３４】
妻水切３３は、一方（図２において左側）の建物ユニット１０から連続して並設された折板３０の内で最もエントランス屋根ＲＦＳの中央側（図において右側）に配置された折板である。
妻水切３４は、もう一方（図２において右側）の建物ユニット１０から連続して並設された折板３０の内で最もエントランス屋根ＲＦＳの中央側（図において左側）に配置された折板である。
そして、妻水切３３と妻水切３４とが、カバー部材２０により接続されて、ピッチ調整用間隔部６０は、妻水切３３と妻水切３４とカバー部材２０とにより覆われている。
【００３５】
以下に、カバー部材２０と両妻水切３３，３４との接続構造および固定構造について説明する。
ピッチ調整用間隔部６０には、空間部梁部材５０の上面に固定部材８０が設置され、図３に拡大して示すように、この固定部材８０に、両妻水切３３，３４が固定され、さらに、両妻水切３３，３４に、カバー部材２０が固定されている。なお、固定部材８０は、全ての空間部梁部材５０に設置する必要は無く、図５に示すように、複数の空間部梁部材５０のうちの数本に間隔を空けて設置されている。
【００３６】
固定部材８０は、図３、図６に示すように、金属などにより形成され、平板状で第１の方向（矢印ｘ方向）に細長いベース部８１と、ベース部８１の長手方向両端部から立ち上げられた平板状の支持部材８２，８２と、を備える。そして、支持部材８２の上端部は、外側（水平方向でベース部８１とは反対方向）に略水平に折曲されたフランジ部８２ｆを備える。さらに、図６に示すように、固定部材８０の内で、カバー部材２０の延在方向である第２の方向（矢印ｙ方向）の両端部に配置されたものには、支持部材８２，８２に挟まれた空間部が、矩形板状のシール板材８３により塞がれている。なお、シール板材８３は、支持部材８２を越えて妻水切３３，３４に当接するまで延在された部分を備える。
次に、図２に戻り、各妻水切３３，３４の構成を説明する。
妻水切３３，３４は、左右対称に形成され、それぞれ、山部３１と、この山部３１に連続する谷部３２と、谷部３２から、略垂直に立ち上げられた立上片（接続端部）３５と、を備える。
【００３７】
さらに、図３、図４に示すように、妻水切３３，３４の立上片３５，３５の上端部には、それぞれ、接続ブラケット３６が設けられている。
接続ブラケット３６は、妻水切３３，３４を固定部材８０およびカバー部材２０に接続するもので、断面Ｌ字状の第１ブラケット３６１と第２ブラケット３６２とを備える。
【００３８】
第１ブラケット３６１は、水平方向に延在された取付片３６１ａと、取付片３６１ａの一端から垂下されたベース片３６１ｂとを備える。そして、ベース片３６１ｂが、立上片３５にシール材８５ｂを介在してビス８７により固定されている。
【００３９】
第２ブラケット３６２は、取付片３６１ａよりも長い寸法で水平方向に延在された取付片３６２ａと、この取付片３６２ａから垂下されたリブ３６２ｂとを備える。そして、取付片３６２ａは、第１ブラケット３６１の取付片３６１ａにシール材８５ａを介在して接着され、かつ、リブ３６２ｂが、第１ブラケット３６１のベース片３６１ｂから外側に離れた位置に配置されている。
【００４０】
以上のように構成された両妻水切３３，３４を、図５に示すように、エントランス屋根ＲＦＳに設けたピッチ調整用間隔部６０に上方から設置し、各妻水切３３，３４の山部３１を隣り合う折板３０の山部３１に重ね合わせる。同時に、各妻水切３３，３４の接続ブラケット３６の取付片３６１ａ，３６２ａを、固定部材８０のフランジ部８２ｆの上面に重ね合わせ、ドリル螺子８６により固定する。
【００４１】
図２に戻り、カバー部材２０は、金属製の薄板により略ハット断面状に形成され、ピッチ調整用間隔部６０を覆って設置され、両妻水切３３，３４に締結されることで、固定部材８０を介して空間部梁部材５０に固定されている。
ここで、カバー部材２０の構成について説明を加えると、図３に妻水切３４側の端部の断面を拡大して示すように、カバー部材２０は、カバー本体２１と水平耳部２２と第１立下げ部２３とを備える。
カバー本体２１は、ピッチ調整用間隔部６０の上方位置で略水平に延在されている。
水平耳部２２は、カバー本体２１の幅方向（矢印ｘ方向）の両端部から下方に下がった位置で略水平に延在して形成されている。
第１立下げ部２３は、水平耳部２２の端部から下方に垂下され、妻水切３３，３４の立上片３５の側方を覆うもので、カバー部材２０の幅方向の両端に設けられている。
【００４２】
さらに、カバー部材２０において、図７に示すように、幅方向に直交する方向（矢印ｙ方向）の両端部である軒先部に、カバー本体２１から垂下された第２立下げ部２４が設けられている。この第２立下げ部２４は、妻水切３３，３４の軒先部を覆うとともに、ピッチ調整用間隔部６０の軒先部を覆う。
【００４３】
そして、カバー部材２０は、水平耳部２２が、図３に示すように、妻水切３３，３４の接続ブラケット３６の取付片３６２ａの上面に、シール材８５ｃを介して重ね合わせられ、その状態で、ビス８８により締結して固定されている。
【００４４】
次に、図８に基づいて、エントランス屋根ＲＦＳの軒先部分の構造を簡単に説明する。
エントランス屋根ＲＦＳの軒先部分は、屋根パネル１００よりも外側に張り出して設けられ、その下方位置に軒樋２００が設けられている。この軒樋２００は、空間部梁部材５０から張り出して取り付けられた庇アーム２１０に支持され、この庇アーム２１０の先端部には、化粧材受板２２０が起立状態で取り付けられ、その前面が軒先化粧材２３０により覆われている。
また、軒樋２００の下方は、軒天井２４０により覆われ、また、上方は、軒先化粧材２３０の上端部と、エントランス屋根ＲＦＳの軒先部とを接続する庇カバー２５０により覆われている。
【００４５】
（実施の形態１の作用）
次に、実施の形態１の建物の屋根構造Ａの作用を説明する。
＜組付手順＞
建物屋根ＲＦの設置手順を簡単に説明する。
建物ユニット１０の設置後、エントランススペース３に面した建物ユニット１０の構造梁１２に、図９に示すように、軒天見切１３０を取り付け、さらに、構造梁１２の所定位置に取付ブラケット１１０を取り付ける。
【００４６】
次に、図１０に示すように、屋根パネル１００を、エントランススペース３の上方から吊り下げ、下降させ、第１棟１の建物ユニット１０と第２棟２の建物ユニット１０との間に据え付ける。
この時、屋根パネル１００の側部に取り付けられたパネルブラケット１２０を、それぞれ、構造梁１２に取り付けられた取付ブラケット１１０に上方から重ね、ボルト１２１を締結する。
【００４７】
上記の屋根パネル１００の設置後、エントランススペース３の前後方向端部では、図１１に示すように、空間部梁部材５０の長手方向両端部の取付ブラケット５１，５２を、建物ユニット１０の柱１１の上端部にボルト５１ｂにより締結する。
【００４８】
また、エントランススペース３の前後方向（矢印ｙ方向）の中間部では、図１２に示すように、空間部梁部材５０の長手方向両端部の取付ブラケット５３，５４を、建物ユニット１０の柱１１の上端部に、図示を省略したボルトにより締結する。
図１３は、空間部梁部材５０の取り付けを終えた状態を示し、空間部梁部材５０は、エントランススペース３の上部に矢印ｙ方向に並設された屋根パネル１００の中間部おより長手方向の両端部に設置される。また、この状態で、取付具４１が、屋根パネル１００から上方に突出して立設される。
【００４９】
なお、各空間部梁部材５０には、予め折板固定部材４０および固定部材８０を取り付けておく。また、この場合、空間部梁部材５０の折板固定部材４０は、空間部梁部材５０を建物ユニット１０に対して取り付けた際に、建物ユニット１０に取り付けられた折板固定部材４０の取付具４１との間隔が、ピッチＰｃとなるよう予め取り付けておく。
【００５０】
ここで、本実施の形態１では、エントランススペース３の幅寸法は、建物ユニット１０において規定された所定の規格寸法（モジュール）Ｐｍに一致しないモジュールずれが生じている。そこで、エントランススペース３にあっては、図２に示すように、両折板固定部材４０，４０の間に、規格寸法Ｐｍとは異なる寸法の間隔Ｐａｄのピッチ調整用間隔部６０が形成される。
【００５１】
そして、建物ユニット１０のユニット屋根ＲＦＵに折板３０を敷設した後、両棟１，２のユニット屋根ＲＦＵに連続して、エントランス屋根ＲＦＳの幅方向両端部から中央に向けて折板３０を敷設する。この折板３０の敷設の際には、折板３０の山部３１を取付具４１の上端部に嵌合させるものであり、設置された全ての取付具４１に折板３０の山部３１を嵌合させると、図５に示すように、ピッチ調整用間隔部６０では、折板３０の連続性が断たれた空間が生じる。
【００５２】
さらに、ピッチ調整用間隔部６０に配置された折板３０に隣り合うように、妻水切３３，３４を敷設する。なお、妻水切３３，３４は、それぞれ、山部３１を、隣り合う折板３０の山部３１と共に取付具４１に嵌合し、さらにドリル螺子などにより固定する。一方、妻水切３３，３４の反対側の端部は、図３、図４に示すように、接続ブラケット３６の取付片３６１ａ，３６２ａを、固定部材８０のフランジ部８２ｆの上面に重ね合わせドリル螺子８６により固定する。
【００５３】
次に、接続ブラケット３６の取付片３６２ａの上にシール材８５ｃを充填し、カバー部材２０を上方から据え付ける。この際、カバー部材２０の幅方向両端の第１立下げ部２３，２３を接続ブラケット３６のリブ３６２ｂの外側に沿わせるようにして位置決めを行い、カバー部材２０の水平耳部２２を取付片３６２ａの上面に重ね合わせた後、ビス８８により固定する。
以上により、建物の屋根構造Ａが完成する。
【００５４】
（実施の形態１の効果）
以下に、実施の形態１の建物の屋根構造の効果を列挙する。
１）実施の形態１の建物の屋根構造は、
建物間空間部としてのエントランススペース３を挟んで建物ユニット１０，１０が並設され、
建物ユニット１０およびエントランススペース３は、一体的に連続する建物屋根ＲＦに覆われ、
前記屋根ＲＦには、山部３１と谷部３２とから成る折板３０が、所定のピッチＰｃで設置された取付具４１に山部３１を嵌合して並設された建物の屋根構造であって、
一方の建物ユニット１０から並設された折板３０の端部に位置する端部折板としての妻水切３３と、もう一方の建物ユニット１０から並設された折板３０の端部に位置する端部折板としての妻水切３４とがカバー部材２０に接続されて屋根ＲＦが形成されていることを特徴とする。
したがって、エントランススペース３の幅寸法が、所定の規格寸法から外れたモジュールずれが生じた場合でも、一方の建物ユニット１０から連続して所定のピッチＰｃで折板３０を設置するとともに、もう一方の建物ユニット１０から連続して所定のピッチＰｃで折板３０を設置し、妻水切３３，３４の間のカバー部材２０によりモジュールずれを吸収することができる。
よって、エントランススペース３に設置するエントランス屋根ＲＦＳの折板３０を、所定の規格寸法とは異なる寸法としてモジュールずれを吸収した場合と比較して、製造手間およびコストを抑えることができる。
【００５５】
２）実施の形態１の建物の屋根構造は、
エントランススペース３の上部に、両建物ユニット１０，１０に跨って構造部材としての空間部梁部材５０が設けられ、
空間部梁部材５０上には、一方の建物ユニット１０上の取付具４１のピッチＰｃと連続的に同ピッチＰｃで設けられた取付具４１と、もう一方の建物ユニット１０の取付具４１のピッチＰｃと連続的に同ピッチＰｃで設けられた取付具４１との間に、取付具４１同士がピッチＰｃと異なる間隔Ｐａｄを空けて配置されたピッチ調整用間隔部６０が設けられていることを特徴とする。
したがって、ピッチ調整用間隔部６０にカバー部材２０および妻水切３３，３４を設置し、これらによりモジュールずれを吸収することができる。
【００５６】
３）実施の形態１の建物の屋根構造は、
ピッチ調整用間隔部６０を挟むその両側に、それぞれ、折板固定部材４０が設置され、
折板固定部材４０は、ピッチ調整用間隔部６０と各建物ユニット１０，１０の間に配置された複数の取付具４１を、１枚の基板４２上に所定のピッチＰｃで設置して形成されていることを特徴とする。
したがって、建物ユニット１０の取付具４１と折板固定部材４０の取付具４１との間のピッチが所定のピッチＰｃとなるように折板固定部材４０を設置するだけで、空間部梁部材５０上に設置する全ての取付具４１を、建物ユニット１０に設置した取付具４１と連続的に一定のピッチＰｃで配置することができ、作業性に優れる。
【００５７】
４）実施の形態１の建物の屋根構造は、
ピッチ調整用間隔部６０には、空間部梁部材５０に固定されたベース部８１と、このベース部８１から立ち上げられて、妻水切３３，３４の端縁部およびカバー部材２０の幅方向両端部を支持する一対の支持部材８２と、を備える固定部材８０が設けられていることを特徴とする。
したがって、１つの固定部材８０により、両妻水切３３，３４とカバー部材２０を、空間部梁部材５０に支持することができ、両妻水切３３，３４とカバー部材２０を、それぞれ、独立した支持部材により支持するものと比較して、部品点数を削減し、コスト低減を図ることが可能である。
【００５８】
５）実施の形態１の建物の屋根構造は、
カバー部材２０は、幅方向端縁部に、妻水切３３，３４の端縁部を上方から覆って、妻水切３３，３４の接続ブラケット３６に接続された水平耳部２２を備えることを特徴とする。
したがって、妻水切３３，３４との接続を水平耳部２２により行うため、接続面積を確保することができるとともに、接続作業を上方から重ね合わせる作業とすることができ、作業性に優れ、かつ、接続強度、水密性を確保できる。
また、モジュールずれ量の違いにより、固定部材のフランジや接続ブラケットの取付片の位置が、水平方向に変化した場合でも、そのずれ分を吸収することが可能である。
【００５９】
６）実施の形態１の建物の屋根構造は、
カバー部材２０は、幅方向端縁部から下方に折曲されて妻水切３３，３４の端縁部を水平方向側方から覆う第１立下げ部２３を備えることを特徴とする。
したがって、第１立下げ部２３によりカバー部材２０と妻水切３３，３４との接続部への風雨の浸入を抑制することができる。
【００６０】
７）実施の形態１の建物の屋根構造は、
カバー部材２０は、幅方向の直交方向の軒先部から下方に折曲されて妻水切３３，３４の軒先部を水平方向側方から覆う第２立下げ部２４を備えることを特徴とする。
したがって、第２立下げ部２４により妻水切３３，３４の軒先部からの風雨の浸入を抑制することができる。
【００６１】
８）実施の形態１の建物の屋根構造は、
空間部梁部材５０は、建物ユニット１０，１０の構造梁１２，１２に架け渡されていることを特徴とする。
したがって、空間部梁部材５０を建物ユニット１０，１０の間に架け渡すことにより、取付具４１などを設置することができ、位置合わせ作業を簡略化可能であり、取付作業性に優れる。
【００６２】
９）実施の形態１の建物は、
上記１）〜８）のいずれかに記載の建物の屋根構造を備えることを特徴とする。
したがって、上記１）〜８）のいずれかに記載の効果を奏する建物を提供することができる。
【００６３】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００６４】
例えば、実施の形態では、カバー部材および端部折板（妻水切）を共通の固定部材により支持し固定する構造とした例を示したが、これに限定されず、カバー部材が端部折板に接続されていれば、その支持は、それぞれ独立して行ってもよい。
【００６５】
また、実施の形態では、取付具の設置にあたり、複数の取付具を１枚の基板に設置した例を示したが、基板に設置する取付具の数は実施の形態に示したものに限定されず、加えて、取付具は、１つ１つ独立して設置することも可能である。
また、実施の形態では、空間部梁部材（構造部材）への折板固定部材を、予め行う例を示したが、これに限定されず、施工現場で、建物ユニットの取付具との間隔を調整しながら設置してもよい。その場合、折板固定部材の基板を、空間部梁部材に対してスライドさせるガイドなどを設けてもよい。
【００６６】
また、建物ユニットに跨り、取付具および固定部材を設置する構造部材として、実施の形態では、空間部梁部材を示したが、構造部材としてはこれに限定されず、例えば、実施の形態において示した屋根パネルなどを用いてもよい。
【００６７】
また、実施の形態では、カバー部材として、水平耳部、第１、第２立下げ部を備えたハット断面形状の物を示したが、これに限定されない。例えば、カバー本体を直接端部折板に重ねて接続する構造として、水平耳部を省略することが可能である。あるいは、シール性を確保する部材を追加することにより、立下げ部を省略することができる。
【符号の説明】
【００６８】
３     エントランススペース（建物間空間部）
１０   建物ユニット
１２   構造梁
２０   カバー部材
２２   水平耳部
２３   第１立下げ部
２４   第２立下げ部
３０   折板
３１   山部
３２   谷部
３３   妻水切（端部折板）
３４   妻水切（端部折板）
４０   折板固定部材
４１   取付具
４２   基板
５０   空間部梁部材（構造部材）
６０   ピッチ調整用間隔部
８０   固定部材
８１   ベース部
８２   支持部材
Ａ     建物の屋根構造
Ｐｃ   ピッチ
Ｐｍ   規格寸法
ＲＦ   建物屋根
ＲＦＳ エントランス屋根
ＲＦＵ ユニット屋根
ＴＨ   建物
【図１】
0006747833.tif 000002
【図２】
0006747833.tif 000003
【図３】
0006747833.tif 000004
【図４】
0006747833.tif 000005
【図５】
0006747833.tif 000006
【図６】
0006747833.tif 000007
【図７】
0006747833.tif 000008
【図８】
0006747833.tif 000009
【図９】
0006747833.tif 000010
【図１０】
0006747833.tif 000011
【図１１】
0006747833.tif 000012
【図１２】
0006747833.tif 000013
【図１３】
0006747833.tif 000014